(57)【要約】  光学レンズ製造方法。光学レンズ製造方法であって、・  第１の面と、第１の面上の第１のマーキングにより識別される第１の基準系とを含むレンズ部材が設けられるレンズ部材提供工程（Ｓ１）と、・  第２の面と光学レンズの第１の面に対する第２の面の位置とに対応する面データが提供される面データ提供工程（Ｓ２）と、・  レンズ部材がブロックされ第２の面が機械加工されるブロック及び機械加工工程と、・  第２の面の第２の基準系を識別する第２のマーキングが、光学レンズの屈折特性を表す光学データと第１及び第２のマーキングが観測される観測条件を表す観測データとに少なくとも基づいて判断され設けられる第２のマーキング判断及び提要工程（Ｓ４）とを含む、方法。
2016503517.tif 000002
【特許請求の範囲】
【請求項１】
光学レンズの製造方法であって、
●  第１の面と前記第１の面上の第１のマーキングにより識別される前記第１の面の第１の基準系とを含むレンズ部材が提供されるレンズ部材提供工程（Ｓ１）と、
●  第２の面と製造される前記光学レンズの前記第１の面に対する前記第２の面の位置とに対応する面データが提供される面データ提供工程（Ｓ２）と、
●  前記レンズ部材を加工位置にブロックするレンズ部材ブロック工程（Ｓ３）と、
●  前記光学レンズの前記第２の面を前記面データに従って機械加工する機械加工工程と、
●  前記第２の面の第２の基準系を識別する第２のマーキングが、前記光学レンズの屈折特性を表す光学データと、前記第１のマーキングと前記第２のマーキングが観測される観測条件を表す観測データとに少なくとも基づいて判断される第２のマーキング判断工程（Ｓ４）と、
●  前記第２のマーキングを前記光学レンズの前記第２の面に設ける第２のマーキング提供工程とを含む方法。
【請求項２】
●  前記観測データに対応する前記観測条件において前記第１のマーキングと前記第２のマーキングの位置を判断することにより前記第１及び第２の基準系を判断する基準系判断工程（Ｓ７）と、
●  前記第１の基準系の位置と前記第２の基準系の位置とが前記第１の面と前記第２の面との位置決め誤差を判断するように比較される比較工程（Ｓ８）とを更に含む請求項１に記載の方法。
【請求項３】
製造された前記光学レンズは、前記第１の面と前記第２の面との前記位置決め誤差が閾値以下あれば容認され、前記第１の面と前記第２の面との前記位置決め誤差が前記閾値より大きければ拒絶される選別工程（Ｓ９）を更に含む請求項２に記載の方法。
【請求項４】
前記基準系判断工程中に、前記第１及び第２のマーキング上の位置は測定光学装置を使用して測定され、前記観測データは前記測定光学装置に対する前記光学レンズの前記位置を少なくとも表す、請求項２又は３に記載の方法。
【請求項５】
前記基準系判断工程中に、前記第１のマーキングと前記第２のマーキングとの前記相対位置がオペレータにより前記観測条件で判断される、請求項２又は３に記載の方法。
【請求項６】
前記第２のマーキング判断工程中、前記第２のマーキングは、前記第２の面が前記第１の面に対して正しく配置されると、前記観測条件において前記第１のマーキングと同じ位置に現われるように決定される、請求項１〜５のいずれか一項に記載の方法。
【請求項７】
前記第２のマーキング判断工程中、前記第２のマーキングは位置決め誤差公差を考慮するように判断される、請求項１〜６のいずれか一項に記載の方法。
【請求項８】
前記光学データは前記第１及び第２の面の設計と、前記第１の面に対する前記第２の面の前記相対位置とを少なくとも表す、請求項１〜７のいずれか一項に記載の方法。
【請求項９】
前記第２のマーキング提供工程中、前記光学レンズは前記機械加工工程中と同じ位置にブロックされる、請求項１〜８のいずれか一項に記載の方法。
【請求項１０】
前記第１及び／又は第２のマーキングは暫定的なマーキングである、請求項１〜９のいずれか一項に記載の方法。
【請求項１１】
前記光学データは前記光学レンズが製造される装着者の処方箋を少なくとも表す、請求項１〜１０のいずれか一項に記載の方法。
【請求項１２】
●  製造装置を使用することにより請求項１〜１１のいずれか一項に記載の製造方法により光学レンズが製造される光学レンズ製造工程と、
●  前記光学レンズの前記第１の面と前記第２の面との前記位置決め誤差が判断される位置決め誤差判断工程と、
●  前記位置決め誤差が記録される記録工程とを含むレンズ製造工程制御方法であって、
前記方法は、光学レンズ製造工程、位置決め誤差判断工程、及び記録工程を定期的に反復する工程と、前記位置決め誤差の進展を長期にわたって照査する工程とを更に含み、
前記レンズ製造工程中に使用される前記製造装置の少なくとも１つのパラメータの進展が長期にわたって照査され、前記光学レンズの前記第１の面と前記第２の面との前記位置決め誤差の長期にわたる進展が前記製造装置の前記少なくとも１つのパラメータの長期にわたる前記進展に関連する、方法。
【請求項１３】
●  製造装置を使用して、請求項１〜１０のいずれか一項に記載の製造方法によりマスタレンズを製造するマスタレンズ製造工程と、
●  前記マスタレンズの前記第１の面と前記第２の面との前記位置決め誤差を判断する位置決め誤差判断工程と、
●  前記位置決め誤差が記録する記録工程とを含むレンズ製造工程制御方法であって、
前記方法は、マスタレンズ製造工程、位置決め誤差判断工程、及び記録工程を定期的に反復する工程と、前記位置決め誤差の進展を長期にわたって照査する工程とを更に含み、
前記レンズ製造工程中に使用される前記製造装置の少なくとも１つのパラメータの進展が長期にわたって照査され、前記マスタレンズの前記第１の面と前記第２の面との前記位置決め誤差の前記長期にわたる進展が前記製造装置の前記少なくとも１つのパラメータの前記長期にわたる前記進展に関連する、方法。
【請求項１４】
プロセッサにアクセス可能な１つ又は複数の格納された一連の命令であって前記プロセッサにより実行されると前記プロセッサに請求項１〜１３のいずれか一項に記載の工程を実行させる１つ又は複数の格納された一連の命令を含むコンピュータプログラム製品。
【請求項１５】
請求項１４に記載のコンピュータプログラム製品の１つ又は複数の一連の命令を担持するコンピュータ可読媒体。
【発明の詳細な説明】
【技術分野】
【０００１】
本発明は光学レンズ製造方法とレンズ製造方法制御方法とに関する。
【背景技術】
【０００２】
本発明の背景の考察は本発明の状況について説明するために本明細書に含まれる。これは、参照される構成材料のいずれも特許請求の範囲のいずれの優先日の時点で既に公表された、既知であった、又は一般的知識の一部であったということを認めるものではない。
【０００３】
光学レンズは通常、プラスチック材料で作られ、一般に、装着者の処方箋にほぼ対応する要求屈折特性を提供するために互いに協同する２つの対向面を有する。これらの面の一方の位置又は形状が他方に対し不正確であると要求屈折特性が反映されない場合がある。
【０００４】
要求屈折特性の光学レンズの製造は通常、半製品レンズ又はレンズブランクの表面を機械加工する工程を含む。通常、半製品レンズは仕上げ面を有する、例えば前面と未仕上げ面（例えば、裏面）を有する。レンズの裏面を機械加工して材料を除去することにより、所望矯正処方箋の、前面に対する裏面の所要形状及び位置を生成することができる。
【０００５】
レンズの製造中は、光学誤差の発生を防止するために様々な製造作業中に半製品レンズをブロッカ（ｂｌｏｃｋｅｒ）上の正確な位置に確実に維持することが重要である。
【０００６】
従来、半製品レンズは仕上げ面上に彫り込み式マーキング（ｅｎｇｒａｖｅｄ  ｍａｒｋｉｎｇｓ）を備える。彫り込み式マーキングはレンズの仕上げ面の設計の基準系を定義する。
【０００７】
いくつかの光学設計では、例えば、両面が非対称設計を有する場合、光学面の相対位置を正確に制御することが所望光学機能を保証するために非常に重要である。
【０００８】
光学レンズを製造した後、当業者は製造された光学レンズの光学両面の相対位置を照査したい、すなわち光学レンズの全光学機能測定又は３次元面測定を実現する必要がある。これらの方法は非常に時間がかかり高価である。
【発明の概要】
【発明が解決しようとする課題】
【０００９】
したがって、製造された光学レンズの光学面の相対位置の簡単な照査を可能にする光学レンズ製造方法が必要である。
【課題を解決するための手段】
【００１０】
この目的を達成するために、本発明は、
●  第１の面と第１の面上の第１のマーキングにより識別される第１の面の第１の基準系とを含むレンズ部材が提供されるレンズ部材提供工程と、
●  第２の面と製造される光学レンズの第１の面に対する第２の面の位置とに対応する面データが提供される面データ提供工程と、
●  レンズ部材を加工位置にブロックするレンズ部材ブロック工程と、
●  光学レンズの第２の面を面データに従って機械加工する機械加工工程と、
●  第２の面の第２の基準系を識別する第２のマーキングが、光学レンズの屈折特性を表す光学データと、第１及び第２のマーキングが観測される観測条件を表す観測データとに少なくとも基づいて判断される第２のマーキング判断工程と、
●  第２のマーキングを光学レンズの第２の面に設ける第２のマーキング提供工程とを含む光学レンズの製造方法を提案する。
【００１１】
有利には、第２のマーキングは光学レンズの屈折特性と観測条件とに応じて判断され、観測条件における第１の面と第２の面との相対位置の精度の照査が直接的かつ容易にされ得る。
【００１２】
単独で又は組み合わせで考えられ得る別の実施形態によると、
−  本方法は、
●  観測データに対応する観測条件において第１及び第２のマーキングの位置を判断することにより第１及び第２の基準系を判断する基準系判断工程と、
●  第１の基準系の位置と第２の基準系の位置とが第１の面と第２の面との位置決め誤差を判断するように比較される比較工程とを更に含み、及び／又は
−  本方法は、製造された光学レンズは第１の面と第２の面との位置決め誤差が閾値以下あれば容認され第１の面と第２の面との位置決め誤差が前記閾値より大きければ拒絶される選別工程を更に含み、及び／又は
−  判断工程中、第１及び第２のマーキング上の位置は測定光学装置を使用して測定され、観測データは測定光学装置に対する光学レンズの位置を少なくとも表し、及び／又は
−  判断工程中、第１のマーキングと第２のマーキングとの相対位置はオペレータにより観測条件で判断され、及び／又は
−  第２のマーキング判断工程中、第２のマーキングは、第２の面が第１の面に対して正しく配置されると、観測条件において第１のマーキングと同じ位置に現われるように決定され、及び／又は
−  第２のマーキング判断工程中、第２のマーキングは位置決め誤差公差を考慮するように判断され、及び／又は
−  光学データは、第１及び第２の面の設計と、第１の面に対する第２の面の相対位置とを少なくとも表し、及び／又は
−  第２のマーキング提供工程中、光学レンズは機械加工工程中と同じ位置にブロックされ、及び／又は
−  第１及び／又は第２のマーキングは暫定的なマーキングであり、及び／又は
−  光学データは、光学レンズが製造される装着者の処方箋を少なくとも表す。
【００１３】
本発明はまた、
●  製造装置を使用することにより本発明による製造方法に従って光学レンズが製造される光学レンズ製造工程と、
●  光学レンズの第１の面と第２の面との位置決め誤差が判断される位置決め誤差判断工程と、
●  位置決め誤差が記録される記録工程とを含むレンズ製造方法制御方法に関し、
本方法は、光学レンズ製造工程、位置決め誤差判断工程、及び記録工程を定期的に反復する工程と、位置決め誤差の進展を長期にわたって照査する工程と、を更に含み、
上記レンズ製造工程中に使用される製造装置の少なくとも１つのパラメータの進展が長期にわたって照査され、光学レンズの第１の面と第２の面との位置決め誤差の長期にわたる進展は、製造装置の少なくとも１つのパラメータの長期にわたる進展に関連する。
【００１４】
本発明は更に、
●  製造装置を使用して、請求項１〜１０のいずれか一項に記載の製造方法によりマスタレンズを製造するマスタレンズ製造工程と、
●  マスタレンズの第１の面と第２の面との位置決め誤差を判断する位置決め誤差判断工程と、
●  位置決め誤差が記録される記録工程とを含むレンズ製造方法制御方法に関し、
本方法は、マスタレンズ製造工程、位置決め誤差判断工程、及び記録工程を定期的に反復する工程と、位置決め誤差の進展を長期にわたって照査する工程とを更に含み、
レンズ製造工程中に使用される製造装置の少なくとも１つのパラメータの進展が長期にわたって照査され、マスタレンズの第１の面と第２の面との位置決め誤差の長期にわたる進展は、製造装置の少なくとも１つのパラメータの長期にわたる進展に関連する。
【００１５】
別の態様によると、本発明は、プロセッサにアクセス可能な１つ又は複数の一連の格納された命令であってプロセッサにより実行されるとプロセッサに本発明による方法の工程を実行させる１つ又は複数の一連の格納された命令を含むコンピュータプログラム製品に関する。
【００１６】
本発明は更に、本発明によるコンピュータプログラム製品の１つ又は複数の一連の命令を担持するコンピュータ可読媒体に関する。
【００１７】
更に、本発明はコンピュータに本発明の方法を実行させるプログラムに関する。
【００１８】
本発明はまた、コンピュータに本発明の方法を実行させる記録されたプログラムを有するコンピュータ可読記憶媒体に関する。
【００１９】
本発明は更に、１つ又は複数の一連の命令を格納し本発明による方法の工程の少なくとも１つを行うように適応化されたプロセッサを含む装置に関する。
【００２０】
特記しない限り、以下の考察から明らかなように、本明細書での考察を通して、「計算する」、「生成する」などの用語を使用する考察は、計算システムのレジスタ及び／又はメモリ内の電子的量などの物理量として表されるデータを、計算システムのメモリ、レジスタ、又は他のこのような情報記憶装置、送信装置、又は表示装置内の物理量として同様に表される他のデータに操作及び／又は変換するコンピュータ又は計算システム又は同様な電子計算装置の行為及び／又は処理を指すということが理解される。
【００２１】
本発明のいくつかの実施形態は本明細書における動作を行う装置を含み得る。この装置は、所望の目的のために特に構築され得る、及び／又はコンピュータ内に格納されたコンピュータプログラムにより選択的に活性化又は再構成される汎用コンピュータ又はデジタル信号処理装置（ＤＳＰ：Ｄｉｇｉｔａｌ  Ｓｉｇｎａｌ  Ｐｒｏｃｅｓｓｏｒ）を含み得る。このようなコンピュータプログラムは、限定しないが、フロッピーディスク（登録商標）、光ディスク、ＣＤ−  ＲＯＭ、光磁気ディスク、読み出し専用メモリ（ＲＯＭ：ｒｅａｄ−  ｏｎｌｙ  ｍｅｍｏｒｉｅｓ）、ランダムアクセスメモリ（ＲＡＭ：ｒａｎｄｏｍ  ａｃｃｅｓｓ  ｍｅｍｏｒｉｅｓ）、電気的プログラマブル読み出し専用メモリ（ＥＰＲＯＭ：ｅｌｅｃｔｒｉｃａｌｌｙ  ｐｒｏｇｒａｍｍａｂｌｅ  ｒｅａｄ−  ｏｎｌｙ  ｍｅｍｏｒｉｅｓ）、電気的消去可能及びプログラム可能な読み出し専用メモリ（ＥＥＰＲＯＭ：ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｉｅｓ）、磁気又は光カード、又は電子的命令を格納するのに好適でありかつコンピュータシステムバスに結合できる任意の他のタイプの媒体を含む任意のタイプのディスクなどのコンピュータ可読記憶媒体内に格納され得る。
【００２２】
本明細書に提示される処理と表示は、いかなる特定のコンピュータ又は他の装置にも本質的には関連付けられない。様々な汎用システムが本明細書の教示に従ってプログラムと共に使用され得る、又は様々な汎用システムは所望の方法を実行するようにより専用化された装置を構築するのに好都合であるということが分かり得る。多種多様のこれらのシステムの所望の構造は以下の説明から分かる。加えて、本発明の実施形態はいかなる特定のプログラミング言語も参照して記述されない。本明細書に記載される本発明の教示を実施するために様々なプログラミング言語が使用され得るということが理解される。
【００２３】
次に本発明の非限定的実施形態について添付図面を参照して説明する。
【図面の簡単な説明】
【００２４】
【図１】本発明の一実施形態による方法の工程を表すフローチャートである。
【図２Ａ】本発明の実施形態に従って製造される光学レンズ部材の概略図である。
【図２Ｂ】本発明の実施形態に従って機械加工される半製品レンズ部材の予め形成された面の平面図である。
【図３】レンズ部材とブロック装置の略図である。
【図４Ａ−４Ｃ】本発明に従って製造される光学レンズの略図である。
【発明を実施するための形態】
【００２５】
添付図面内の要素は簡略化と明確化のために示されており、必ずしも原寸に比例して描かれていない。例えば、図面内の要素のいくつかの寸法は、本発明の実施形態の理解を深めるのを支援するために他の要素に対して誇張されることがある。
【００２６】
本発明の意味では、「設計」は、一般的光学系の光学機能を定義できるようにする一組のパラメータを指定するために当業者に公知の広く使用される用語であり、各眼用レンズ製造者は、特に非球面レンズと累進レンズの製造者自身の設計を有する。一例として、累進レンズ「設計」は、すべての距離ではっきり見るために老眼者の能力を回復し、また中心視覚、中心外視覚、双眼視覚などのすべての生理学的視覚機能を最適に反映し、不要な非点収差を最小化するように、累進表面の最適化をもたらす。
【００２７】
本発明の意味では、「製造パラメータ」は製造方法に関与する様々な製造装置の設定パラメータである。本発明の意味では、「方法パラメータ」はレンズの製造に使用される製造装置上の任意の測定可能パラメータを含む。
【００２８】
図１に示す本発明の一実施形態によると、本発明による光学レンズ製造方法は、
●  レンズ部材提供工程Ｓ１、
●  面データ提供工程Ｓ２、
●  レンズ部材ブロック工程Ｓ３、
●  機械加工工程Ｓ４、
●  第２のマーキング判断工程Ｓ５、
●  第２のマーキング提供工程Ｓ６
を少なくとも含む。
【００２９】
レンズ部材提供工程Ｓ１中、図２Ａに表されるようなレンズ部材が提供される。
【００３０】
図２Ａに表されるように、レンズ部材１０は第１の設計による第１の面、例えば予め形成された前面１１を有する。結果として生じる完成光学レンズの使用中、予め形成された前面１１は、観測中の物体と、例えば点線により表される完成光学レンズの裏面１３を提供する製造工程により修正される第２の面１２との最も近くに配置される。第２の面１２は、要求光学的処方箋に従って、裏面１３が前面１１に向けられ前面１１から間隔を置かれるように、機械加工具により機械加工される。
【００３１】
本発明の本実施形態では、第１の面はレンズ部材の前面であり、第２の面は裏面であるが、本発明の別の実施形態では、第１の面が半製品レンズ部材の裏面であり得、第２の面が前面で有り得るということが理解される。
【００３２】
更に、本発明の本実施形態では、光学レンズの裏面は機械加工処理により形成されるが、本発明の別の実施形態では、レンズの両方又はいずれか一方の面が機械加工処理により形成され得るということが理解される。
【００３３】
更に、製造される面１３は図２Ａでは凹面で表されるが、この表面１３は同様に良好な凸面又は任意の他の湾曲面で有り得るということが理解される。
【００３４】
図２Ｂを参照すると、第１のマーキング１１１は第１の面１１の第１の設計の位置決めのための第１の基準系を定義する基準特徴としてレンズ部材１０の第１の面１１に設けられる。
【００３５】
本発明の一実施形態によると、マーキング１１１は、結果として生じる完成光学レンズの装着者を妨害するリスクを制限するように数マイクロメートルの深さを有する彫り込み式マーキングであり得る。
【００３６】
本発明の別の実施形態によると、マーキング１１は、製造された光学レンズを装着者へ提供する前に除去され得る暫定的マーキングであり得る。
【００３７】
面データ提供工程Ｓ２中、製造される光学レンズの第２の面に対応する面データが提供される。面データは、製造された裏面１３と前面とを組み合わせた光学レンズが要求光学機能を提供するように、第２の面１２上に製造される面と、第１の面に対する第２の面の位置とに対応する。面データは予め形成された前面と装着者の処方箋とに従って判断され得る。
【００３８】
レンズ部材ブロック工程Ｓ３中、レンズ部材１０は加工位置にブロックされる。機械加工工程Ｓ４中、光学レンズの第２の面は、光学レンズの所望光学特性が反映されるように、面データに従って被機械加工される。
【００３９】
本発明の一実施形態によると、本方法はレンズ部材ブロック工程Ｓ３前にレンズブロッカ提供工程を含み得る。
【００４０】
次に図３を参照すると、製造工程中にレンズ部材１０を正しい位置にブロックするためのレンズブロック装置はインサート２１とブロックリング２２とを含む。レンズ部材１０の下面、インサート２１、及びブロックリング２２により画定される空洞中にブロック鋳込み材料（ｂｌｏｃｋｉｎｇ  ｃａｓｔ  ｍａｔｅｒｉａｌ）２４が注がれる。ブロック鋳込み材料２４は、機械加工のために所望位置にレンズ部材１０のブロッカを設けるために冷却し固化する。ブロッカは加工データが表現される機械加工基準座標系を含む。
【００４１】
第２のマーキング判断工程Ｓ５中、第２の面の第２の基準系を識別する第２のマーキングが判断される。第２のマーキングは第２のマーキング提供工程Ｓ６中に光学レンズの第２の面に設けられる。
【００４２】
第２のマーキングは少なくとも光学データと観測データとに従って判断される。
【００４３】
光学データは光学レンズの屈折特性を表す。本発明の一実施形態によると、光学データは装着者の処方箋を表す。光学データは、第１及び第２の面の設計、第１の面に対する第２の位置、例えば光学レンズの厚さ及びプリズム度数、及び光学的指標を表し得る。
【００４４】
観測データは、第１及び第２のマーキングが観測される観測条件を表す。観測条件は、観測装置と観測装置内の製造されたレンズの位置とを考慮することにより規定され得る。観測装置内の製造された光学レンズの位置は、光学レンズ基準座標系と観測装置基準座標系との位置として規定され得る。光学レンズ基準座標系は、レンズがブロッカ上に維持されていればブロッカを使用することにより、又は整合規格ＩＳＯ８９８０により規定されるようにプリズム度数基準点を通る光学レンズの面の一方の面の法線により定義され得る。
【００４５】
有利には、２つの面の相対位置の判断は、特に第１及び第２のマーキングの観測が観測条件において実施されるとはるかに容易にされる。
【００４６】
本発明の一実施形態によると、第２のマーキングは、第２の面が第１の面に対して正しく配置されると、観測条件において第１のマーキングと同じ位置に現われるように決定される。したがって、観測条件では、第２のマーキングと第１のマーキングは、第２の面が第１の面に対して正しく配置されると重畳されて現われる。
【００４７】
したがって、製造された光学レンズの選別を容易に実施することができる。
【００４８】
図４Ａと４Ｂに示される本発明の一実施形態によると、第２のマーキングは位置決め誤差公差を考慮するように決定され得る。
【００４９】
例えば、図４Ａに示すように、第２のマーキング１１２は円形形状を有し得、第２の面が第１の面に対して正しく配置されると、第２のマーキング１１２は観測条件において第１のマーキング１１１上を中心として現われるように決定され得る。円形形状の第２のマーキングの半径は誤差位置公差に基づき決定され得る。
【００５０】
したがって、第２の面と第１の面との位置決め誤差が誤差位置公差より大きいと、第１のマーキングは図４Ｂに示すように第２のマーキングの外側に現れわる。
【００５１】
しかし、第２の面と第１の面との位置決め誤差が誤差位置公差より小さいと、第１のマーキングは図４Ｃに示すように第２のマーキングの内側に現われる。
【００５２】
本発明の一実施形態によると、第２のマーキング提供工程は機械加工工程と同じ機械加工装置により実施され、光学レンズは同じ位置に維持される。有利には、光学レンズを機械加工工程と第２のマーキング提供工程中に同じ位置に維持することにより、第２のマーキングと第２の面とのいかなる位置決め誤差も導入されないということを保証する。
【００５３】
図１に示すように、本発明の一実施形態によると、本方法は、第２のマーキング提供工程後に
●  基準系判断工程Ｓ７と、
●  比較工程Ｓ８と
を更に含み得る。
【００５４】
有利には、これらの追加工程は、被機械加工光学レンズの第１の面と第２の面との相対位置を判断できるようにする。
【００５５】
基準系判断工程Ｓ７中、第１及び第２のマーキングの位置は観測データに対応する観測条件で判断される。第１及び第２の基準系は第１及び第２のマーキングの位置に基づき判断され得る。
【００５６】
第１の面と第２の面との位置決め誤差は、比較工程Ｓ８中に第１の基準系と第２の基準系の位置を比較することにより判定される。
【００５７】
本発明の一実施形態によると、第１基準系の位置と第２の基準系の位置は共通基準系（例えば製造された光学レンズ基準座標系）において比較される。先に示したように、光学レンズ基準座標系は、レンズがブロッカ上に維持されていればブロッカを使用することにより、又は整合規格ＩＳＯ８９８０により義務付けられた基準マーキング間を通る光学レンズの面の一方の面の法線により定義され得る。
【００５８】
本発明の一実施形態によると、第１のマーキングと第２のマーキングとの相対位置はオペレータにより観測条件で判断される。例えば、観測条件は、光源とオペレータの眼とから所定距離に光学レンズを配置することで有り得る。第２のマーキング判断工程中、第２のマーキングは、第２の面が第１の面に対して正しく配置される又は誤差公差を有する図４ａ〜４Ｃに示されるように配置されると、第１のマーキングに重畳されてオペレータに現われるように決定され得る。
【００５９】
有利には、オペレータは第１の面と第２の面との相対位置を非常に容易に照査し得る。
【００６０】
観測条件はまた、機械加工光学レンズを通して光源の像を画面へ投影させることで有り得る。このとき、オペレータは投影スクリーン上のマーキングを観測することができるであろう。
【００６１】
図１に示すように、本発明による方法はまた、第１の面と第２の面との位置決め誤差が閾値以下あれば、製造された光学レンズが容認され、第１の面と第２の面との位置決め誤差が閾値より大きければ拒絶される選別工程Ｓ９を含み得る。
【００６２】
本発明の異なる実施形態によると、閾値は装着者の処方箋及び／又は一方又は両方の面の設計及び／又は曲率変化に依存し得る。
【００６３】
本発明はまた、レンズ製造工程制御方法に関する。レンズ製造工程制御方法は、
ａ）本発明の製造方法に従って製造装置を使用して光学レンズを製造する工程と、
ｂ）光学レンズの第１の面と第２の面との位置決め誤差を判断する工程と、
ｃ）判断された位置決め誤差を記録する工程と、
ｄ）工程ａ）〜工程ｃ）を定期的に反復して位置決め誤差の進展を長期にわたって照査する工程とを含む。
【００６４】
レンズ製造工程中に使用される製造装置の少なくとも１つのパラメータの進展が長期にわたって照査され、光学レンズの第１の面と第２の面との位置決め誤差の長期にわたる進展は、製造装置の少なくとも１つのパラメータの長期にわたる進展に関連する。
【００６５】
有利には、本発明による方法は、機械加工処理のいくつかの方法パラメータ又は装置パラメータを制御できるようにする。実際、位置誤差は機械加工装置パラメータのいくつかと相関付けられ得、これにより、位置決め誤差の長期にわたる進展を制御することで、機械加工装置パラメータのドリフト又はシフトを識別するのを助けることができる。
【００６６】
本発明の一実施形態によると、工程ａ）を反復する際に製造される光学レンズは反復毎に異なる光学レンズであり得る。
【００６７】
本発明の一実施形態によると、工程ａ）中に製造される光学レンズはマスタレンズであり得る。
【００６８】
マスタレンズは異なる幾何学及び／又は光学パラメータを有する、及び／又は製造工程中に製造されるレンズとは異なる材料で作られる。
【００６９】
マスタレンズの選択は観測条件を単純化するようになされ得、例えば、マスタレンズは２つの平坦かつ平行な面を含み得る。
【００７０】
マスタレンズの選択は工程パラメータに対するあるパラメータの感度を増幅するように行われ得る。例えば、マスタレンズはある材料で作られ、その光学パラメータが通常の製造レンズよりプロセスパラメータの修正に対してより敏感であるような設計を有する。
【００７１】
有利には、マスタレンズの使用は、位置決め誤差のシフトとレンズ製造工程中に使用される製造装置のパラメータとの相関をより単純かつより信頼できるものにする。
【００７２】
例えば、マスタレンズは、製造装置のパラメータを照査するように、毎日、又は１日に何回か、又は毎日ではなく定期的に製造され得る。
【００７３】
本発明は、全体的な発明概念を限定すること無しに、実施形態の助けを借りて上に説明された。
【図１】
2016503517.tif 000003
【図２Ａ】
2016503517.tif 000004
【図２Ｂ】
2016503517.tif 000005
【図３】
2016503517.tif 000006
【図４Ａ】
2016503517.tif 000007
【図４Ｂ】
2016503517.tif 000008
【図４Ｃ】
2016503517.tif 000009
【国際調査報告】
2016503517.tif 000010
2016503517.tif 000011